(57)【要約】  【課題】  熱処理による不純物の付着の少ないワーク収納用容器および光学素子収納用容器を提供することを目的とするものである。  【解決手段】  本発明のワーク収納用容器１，11，12，13によれば、ワーク10を収納するための凹部３を有する板状体２を備え、板状体２の最も外周側に位置する凹部３ｆと板状体２の外部とが貫通孔５にて繋がっていることから、ワーク10の熱処理時に発生するガスを貫通孔５を介して外部に排出することができ、熱処理の降温の段階で冷却されたガスが不純物となってワーク10に付着することを抑制できる。また、本発明の光学素子収納用容器21は、本発明のワーク収納用容器12からなり、凹部３に光学素子23が収納されることから、光学素子23の表面における不純物の付着を抑制することができる。【選択図】  図１
2014080240.tif 000002
【特許請求の範囲】
【請求項１】
ワークを収納するための凹部を有する板状体を備え、該板状体の最も外周側に位置する前記凹部と前記板状体の外部とが貫通孔にて繋がっていることを特徴とするワーク収納用容器。
【請求項２】
前記凹部を複数備えるとともに該凹部同士が貫通孔にて連通していることを特徴とする請求項１に記載のワーク収納用容器。
【請求項３】
前記凹部の内側面の底面側に、凸部が設けられていることを特徴とする請求項１または請求項２に記載のワーク収納用容器。
【請求項４】
前記板状体がセラミックからなることを特徴とする請求項１乃至請求項３のうちいずれかに記載のワーク収納用容器。
【請求項５】
前記板状体が積層体からなることを特徴とする請求項４に記載のワーク収納用容器。
【請求項６】
前記凹部が、前記板状体の一方の主面に開口する第１の凹部と、該第１の凹部と繋がってかつ断面視において前記第１の凹部よりも幅の狭い第２の凹部とを備えるとともに、前記貫通孔が前記第１の凹部または前記第２の凹部と連通していることを特徴とする請求項１乃至請求項５のうちいずれかに記載のワーク収納用容器。
【請求項７】
前記第１の凹部および前記第２の凹部の少なくとも一方の底面が焼き肌面とされていることを特徴とする請求項６または請求項７に記載のワーク収納用容器。
【請求項８】
前記凹部を塞ぐための蓋体をさらに備えることを特徴とする請求項１乃至請求項７のうちいずれかに記載のワーク収納用容器。
【請求項９】
請求項８に記載のワーク収納用容器からなり、前記凹部に光学素子が収納されることを特徴とする光学素子収納用容器。
【発明の詳細な説明】
【技術分野】
【０００１】
本発明は、ワーク収納用容器およびこれを用いた光学素子収納用容器に関する。
【背景技術】
【０００２】
ワークを熱処理するときに、ワークを個別に収納するための容器として、耐熱性の高い鋼材やセラミックスで作製された容器を使用することが知られている。
【０００３】
例えば、特許文献１には、セラミックシートの積層体からなる基体の一方の主面側に複数のポケットを設けた熱処理用トレーが開示されている。
【先行技術文献】
【特許文献】
【０００４】
【特許文献１】特開2005-213086号公報
【発明の概要】
【発明が解決しようとする課題】
【０００５】
しかしながら、特許文献１に記載の熱処理用トレーでは、ワークをポケットに収納し、熱処理をした場合に、ポケット内に収納したワークから発生したガスがポケット内に滞留し易く、熱処理後にはそのガスが、不純物となってワークの表面に付着するおそれがあった。
【０００６】
本発明は、上記課題を解決するために案出されたものであり、ワーク表面の付着物を抑制することができるワーク収納用容器およびこれを用いた光学素子収納用容器を提供することを目的とするものである。
【課題を解決するための手段】
【０００７】
本発明のワーク収納用容器は、ワークを収納するための凹部を有する板状体を備え、該板状体の最も外周側に位置する前記凹部と前記板状体の外部とが貫通孔にて繋がっていることを特徴とするものである。
【０００８】
本発明の光学素子収納用容器は上記構成のワーク収納用容器からなり、前記凹部に光学素子を収納されることを特徴とするものである。
【発明の効果】
【０００９】
本発明のワーク収納用容器によれば、ワークを収納するための凹部を有する板状体を備え、該板状体の最も外周側に位置する前記凹部と前記板状体の外部とが貫通孔にて繋がっていることから、凹部内に滞留したガスを貫通孔から外部に排出することができ、ワーク表面における不純物の付着を抑制することができる。
【００１０】
また、本発明の光学素子収納用容器は、上記構成のワーク収納用容器からなり、前記凹部に光学素子が収納されることから、光学素子の表面における不純物の付着を抑制することができる。
【図面の簡単な説明】
【００１１】
【図１】本実施形態のワーク収納用容器の一例を示す、（ａ）はワーク収納用容器を構成する板状体の斜視図であり、（ｂ）は板状体の一方の主面側の平面図であり、（ｃ）は（ａ）のＡ−Ａ’線の断面図である。
【図２】本実施形態のワーク収納用容器の第１の凹部の開口部の一例を示す、（ａ）〜（ｃ）は一方の主面側からみた開口部の平面図であり、それぞれ円形状、四角形状および六角形状である。
【図３】本実施形態のワーク収納用容器の第１の凹部の底面の一例を示す、（ａ）〜（ｄ）は一方の主面側からみた平面図であり、それぞれ円形状、四角形状、六角形状および十字形状である。
【図４】本実施形態のワーク収納用容器の他の一例を示す、（ａ）はワーク収納用容器を構成する板状体の斜視図であり、（ｂ）は板状体の一方の主面側の平面図であり、（ｃ）は（ａ）のＢ−Ｂ’線の断面図である。
【図５】本実施形態のワーク収納用容器のさらに他の一例を示す平面図である。
【図６】図６は、図５のＣ−Ｃ’線に示す本実施形態のワーク収納用容器の貫通孔の形成位置の一例を示す部分的な断面図である。
【図７】本実施形態のワーク収納用容器のさらに他の一例を示す凹部を含む周囲の部分的な断面図であり、板状体が積層体からなることを示している。
【図８】図５のＣ−Ｃ’線に示す本実施形態のワーク収納用容器の貫通孔の形成位置の一例を示す部分的な断面図であり、（ａ）〜（ｃ）は第１の凹部の底面でワークが支持され貫通孔が第１の凹部の底面より下方にあり、（ｄ）は貫通孔の位置は（ａ）と同一であるがワークの支持が第２の凹部の底面である。
【図９】（ａ）は本実施形態のワーク収納用容器の図８（ｂ）に示す波線で囲んだＤ部または図８（ｄ）に示す波線で囲んだＥ部を拡大した断面図であり、（ｂ）は第１の凹部の底面または第２の凹部の底面を平面視した粒子レベルでみたときの模試図である。
【図１０】本実施形態のワーク収納用容器の他の一例を示す斜視図である。
【図１１】本実施形態の光学素子収納用容器の一例を示す断面図である。
【発明を実施するための形態】
【００１２】
以下、本発明の実施の形態について説明する。
【００１３】
本発明の流路部材の実施の形態の一例を、図１〜図３を用いて説明する。
【００１４】
図１は、本実施形態のワーク収納用容器の一例を示す、（ａ）はワーク収納用容器を構成する板状体の斜視図であり、（ｂ）は板状体の一方の主面側の平面図であり、（ｃ）は（ａ）のＡ−Ａ’線の断面図である。
【００１５】
また、図２は、本実施形態のワーク収納用容器の第１の凹部の開口部の一例を示す、（ａ）〜（ｃ）は一方の主面側からみた開口部の平面図であり、それぞれ円形状、四角形状および六角形状であり、図３は、本実施形態のワーク収納用容器の第１の凹部の底面の一例を示す、（ａ）〜（ｄ）は一方の主面側からみた平面図であり、それぞれ円形状、四角形状、六角形状および十字形状である。
【００１６】
図１に示すワーク収納用容器１は、ワーク10を収納するための凹部３を有する板状体２を備え、板状体２の最も外周側に位置する凹部３と板状体２の外部とが貫通孔５にて繋がっていることが重要である。
【００１７】
本実施形態のワーク収納用容器１によれば、板状体２の一方の主面２ａ側にワーク10を収納するための凹部３を備え、板状体２の最も外周側に位置する凹部３と板状体２の外部とが貫通孔５によって繋がっていることから、たとえば、熱処理用の容器として用いてワーク10を熱処理したときに、ワーク10から発生したガスが、凹部３内から貫通孔５を介して外部に排出されることとなる。それにより熱処理の降温の段階で冷却されたガスが不純物となってワーク10に付着することを抑制できる。
【００１８】
また、貫通孔５を介して外部の熱をワーク収納用容器１に伝達することができる。それによりワーク収納用容器１内での温度バラツキを抑制でき、ワーク10の熱処理による寸法や強度等のバラツキを抑制することもできる。
【００１９】
また、本実施形態のワーク収納容器１においては、ワーク収納用容器１の凹部３が、断面視において、第１の凹部３ａと、第１の凹部３ａよりも幅の狭い第２の凹部３ｂとからなり、ワーク10を第１の凹部３ａの底面３ｃで支持している例を示している。なお、凹部３の形状は、必ずしも第１の凹部３ａと第２の凹部３ｂとを備えている必要はなく、例えば、凹部３の内側面がストレート状やまたはテーパ状であってもよい。さらには、ワーク10を第２の凹部３ｂに収納する形態としてもよい。
【００２０】
さらに、第１の凹部３ａの開口部の平面形状は、図２（ａ）の円形状、（ｂ）の四角形状、または（ｃ）の六角形状などの方形状など、熱処理するワークが収容できる形状であれば良くこれに限定されるものでもない。
【００２１】
また、第１の凹部の底面３ｃおよび第２の凹部３ｂの開口部は、図３（ａ）の円形状、（ｂ）の四角形状、（ｃ）の六角形状、または（ｄ）の十字形状など、熱処理するワークが収容できる形状であれば良くこれに限定されるものでもない。
【００２２】
さらにまた、貫通孔５の断面形状については、円形状、四角形状、三角形状など、ワーク収納用容器１の強度に問題がなく、外部へガスが排出できればこれに限定されるものでもない。
【００２３】
なお、図１においては、ワーク収納用容器１が凹部３を２行２列の計４つ有する例を示しているが、これに限られるものではなく、例えば凹部３が１つであってもよい。
【００２４】
図４は、本実施形態のワーク収納用容器の他の一例を示す、（ａ）はワーク収納用容器を構成する板状体の斜視図であり、（ｂ）は板状体の一方の主面側の平面図であり、（ｃ）は（ａ）のＢ−Ｂ’線の断面図である。
【００２５】
図４に示すワーク収納用容器11は、板状体２の一方の主面２ａ側に複数の凹部３を備えており、図４において上下方向に並列された凹部３同士が貫通孔５にて連通している。なお、以下の図において、外部と連通する貫通孔を有する凹部を３ｆとし、それ以外の凹部を３ｇとして示すものとする。また、本実施形態において、最も外周側に位置する凹部３の全てが外部と連通している必要はなく、凹部３同士が連通していれば、最も外周側に位置する凹部３のうち少なくとも１つが外部と連通する貫通孔を有していればよい。
【００２６】
このように、凹部３ｆおよび凹部３ｇ同士が貫通孔５で連通して外部と連通しているときには、本実施形態のワーク収納用容器11にワークを収容して熱処理容器として用いる場合に、凹部３ｇで発生したガスを外周側に位置する凹部３ｆに設けられた貫通孔５を介して外部に排出することができる。それにより複数の凹部３を備えるワーク収容容器を熱処理の降温の段階で冷却されたガスが不純物となってワーク10に付着することを抑制できる。
【００２７】
また、凹部３ｆおよび凹部３ｇ同士が貫通孔５によって外部まで連通していることから、貫通孔５を介して外部の熱をワーク収納用容器11に伝達することができる。それによりワーク収納用容器11内での温度バラツキを抑制でき、ワーク10の熱処理による寸法や強度等のバラツキを抑制することもできる。
【００２８】
ここまで、本実施形態のワーク収納用容器１、11では、貫通孔５は、複数の凹部３に対
して、一方向にのみ形成した構成で説明してきたが、例えば、貫通孔５を格子状に設けたものであってもよい。
【００２９】
図５は、本実施形態のワーク収納用容器のさらに他の一例を示す平面図であり、複数の凹部３に対して、貫通孔５を格子状に形成したワーク収納用容器12を示している。
【００３０】
このように格子状に貫通孔５を設けることによって、さらにワーク10を熱処理するときに発生するガスを外部に容易に排出することができる。それにより熱処理の降温の段階で冷却されたガスが不純物となってワーク10に付着することをさらに抑制できる。
【００３１】
また、貫通孔５を介して外部の熱をワーク収納用容器１内に効率よく伝達することができることから、ワーク収納用容器12内での温度バラツキを抑制でき、ワーク10の熱処理による寸法や強度等のバラツキをさらに抑制することもできる。
【００３２】
なお、貫通孔５を、一方方向または格子状に形成した場合について説明したが、ワーク10を熱処理するときに発生するガスを外部に排出することができるようなっていれば良く、ワークから発生するガスの種類、収納容器１、11、12の強度、焼成の雰囲気等に適宜合わせ貫通孔５の場所、本数、形状等を適宜設定すれば良い。
【００３３】
ところでこのような熱処理に用いられるワーク収納容器は、ワークを収納容器に入れやすくするために、予めワークと収納容器の凹部の内周面との間にはある程度のクリアランスが設けられている。そのため、凹部にワークは入れやすいものの、運搬や、各装置での移動時に凹部内でワークが動いてしまい、熱処理にムラが生じてしまうおそれや、凹部から飛び出してしまうおそれがあった。
【００３４】
図６は、図５のＣ−Ｃ’線に示す本実施形態のワーク収納用容器の貫通孔の形成位置の一例を示す部分的な断面図である。このワーク収納容器12においては、凹部３の内側面３ｈの底面側に凸部４が設けられている。なお、図６においては、ワーク10を第１の凹部３ａの底面３ｃに載置する場合を示し、第１の凹部３ａの底面３ｃ側に凸部４が設けられている例を示している。
【００３５】
このような構成とすることで、一方の主面２ａ側では、ワーク10と第１の凹部３ａとのクリアランスを広く設けることでワーク10を第１の凹部３ａに入れやすくなる。また、底面３ｃ側に凸部４を設けることでクリアランスが狭くなり、ワーク10が第１の凹部３ａ内で動くことを抑制できる。それにより、熱処理にムラが生じてしまうおそれや、ワーク10が凹部から飛び出すことを抑制することができる。あわせて、凸部４を設けることで、第１の凹部３ａの表面積を広くでき、第１の凹部３ａからの放射熱を増やすことができることから、ワーク10の熱処理時間を短縮することもできる。
【００３６】
なおこのような構成とするためにはワーク10の外形や厚みにもよるが、第１の凹部３ａとワーク10とのクリアランスを、一方の主面２ａ側では0.3〜2.5ｍｍとし、底面３ｃ側の凸部４の場所では0.05ｍｍ〜1.0ｍｍ（凸部４の高さとしては0.02ｍｍ〜0.50ｍｍ）とな
るようにすればよい。
【００３７】
また、凸部４は、凸部４の頂点がワーク10の外周面における高さ（厚み）方向の範囲内に位置するように設けられていることが好ましく、この場合において、凹部３の内側面の周方向の全周に有していることが好ましいが、全周の長さの１／10以下の長さのものを複数設けた構成とすることもできる。ちなみに、凸部４の高さは均一であることが好ましく、この場合、ワーク10を第１の凹部３ａの底面３ｃにおける中央付近に収納することができ、ワーク10の熱処理による寸法や強度等のバラツキをさらに抑制することもできる。
【００３８】
なおここでいう、凸部４の高さとは、一個の凹部３を３箇所でカットして、そのカットした各断面視において、内側面３ｈの凸部４以外の任意の場所を５点取りその平均の場所を基準としたときの、凸部４の一番高い場所との距離のことをいう。また、凸部４の高さが均一であるとは、凸部４の任意の場所を６点取った際の高さのバラツキが、凸部４の高さ寸法の40％の範囲内に入っていればよい。
【００３９】
なお、凸部の高さの測定は、収納容器の第１の凹部が入るように切断した切断面を公知の光学顕微鏡やマイクロスコープなどを用いて確認することができる。
【００４０】
ちなみに、上述の例においては、凸部４を第１の凹部３ａに設けた場合の構成について説明したが、例えば第２の凹部３ｂにワーク10を収納する場合には、凸部４を第２の凹部３ｂに設ければよい。なお、本実施形態のワーク収納容器１，11においても同様である。
【００４１】
本実施形態のワーク収納用容器１，11，12の板状体２は、セラミックからなることが好ましくは、例えば、熱処理用の容器として用いれば、耐熱性に富み繰り返し熱処理に用いることができる。また、例えば、ワーク収納用容器１，11，12をワーク10の保存用や滅菌用の容器として用いる場合に、金属であれば腐蝕するようなガスや液体の雰囲気に曝しても耐食性の高いセラミックで形成されることで、腐蝕等の問題の発生を抑制できる。
【００４２】
なお、ここで、ワーク収納用容器１，11，12に用いるセラミックスとしては、アルミナ，窒化珪素，窒化アルミニウム，ムライト，炭化珪素，炭化硼素，コージェライト，ジルコニアおよびこれらの複合体などや、または炭化珪素の板状体２の少なくとも凹部３の表層に炭素成分がワーク10に付着しないようにアルミナやジルコニアなどを被着したものであってもよい。
【００４３】
さらに、板状体本体を耐熱鋼で作製し少なくとも凹部３の表層にアルミナなどのセラミックスを被着したものでもよい。
【００４４】
また、セラミックスからなる板状体２の作製は、セラミックグリーンシートにレーザやプレス成型により孔加工したものを複数積層し焼成する方法や、粉末プレス成型により凹部３を備えた成型体を作製したあとにドリル加工で貫通孔５を形成し焼成する方法や、焼成した板状体２にレーザ加工や切削加工、ブラスト加工またはドリル加工などの単一工程または複数の工程の組合せにより作製する方法がある。
【００４５】
図７は、本実施形態のワーク収納用容器のさらに他の一例を示す凹部を含む周囲の部分的な断面図であり、板状体が積層体からなる例を示している。
【００４６】
本実施形態のワーク収納用容器１，11，12の板状体２が、シート２ｄを複数積層した積層体からなるときには、複雑な凹部３の形状や貫通孔５の形状の配置であっても、容易に作製することができる。
【００４７】
例えば、積層体がセラミックからなるときは、未焼成のセラミックグリーンシートの成形体に、凹部３となる貫通孔をレーザや打ち抜きで、凸部４となる部分をレーザなどで形成し、また、貫通孔５となる溝を成形体にレーザや打ち抜きで成形し、これらのセラミックグリーンシートを積層し加圧後に所定の温度で焼成することにより所望の板状体２を作製することができる。
【００４８】
本実施形態のワーク収納用容器は、凹部が、板状体の一方の主面に開口する第１の凹部と、第１の凹部と繋がってかつ断面視において第１の凹部よりも幅の狭い第２の凹部とを
備えるとともに、貫通孔が第１の凹部または第２の凹部と連通していることが好ましい。
【００４９】
図１に示すワーク収納用容器１は、板状体２に複数の凹部３が備えられ、凹部３は、板状体２の第１の主面２ａ側に開口する第１の凹部３ａと、第１の凹部３ａと繋がってかつ断面視において第１の凹部３ａよりも幅の狭い第２の凹部３ｂとを備えるとともに、貫通孔５が第１の凹部３ａと連通している。
【００５０】
ここで、凹部３が、第１の凹部３ａと、第１の凹部３ａと繋がってかつ断面視において第１の凹部３ａよりも幅の狭い第２の凹部３ｂとを有することで、第１の凹部３ａの底面３ｃにワーク10を安定して支持することができる。それにより、ワーク10の下面側は直接第２の凹部３ｂの底面３ｄと接触することもなく、ワーク10の上面側と下面側の熱処理による寸法や強度等のバラツキが大きくなることも抑制できる。
【００５１】
なお、図１においては、貫通孔５が第１の凹部３ａに連通している例を示しているが、貫通孔５が第２の凹部３ｂに連通していてもよい。
【００５２】
さらに、この場合において貫通孔５が第１の凹部３ａまたは第２の凹部３ｂと連通していることにより、ワーク10を熱処理するときに発生するガスを外部に容易に排出することができる。それにより熱処理の降温の段階で冷却されたガスが不純物となってワーク10に付着することをさらに抑制できる。なお、貫通孔５の形成位置について以下に例示する。
【００５３】
図８は、図５（ａ）のＣ−Ｃ’線に示す本実施形態のワーク収納用容器の貫通孔の形成位置の一例を示す部分的な断面図であり、（ａ）〜（ｃ）は第１の凹部の底面でワークが支持され貫通孔が第１の凹部の底面より下方にあり、（ｄ）は貫通孔の位置は（ａ）と同一であるがワークの支持が第２の凹部の底面である例を示している。
【００５４】
図１に示すワーク収納用容器１は、第１の凹部３ａの底面３ｃより開口部に近い位置に貫通孔５が設けられているのに対し、図８（ａ）〜（ｄ）においては、貫通孔５が、第１の凹部３ａの底面３ｃより第２の凹部３ｂの底面３ｄ側に設けられている。
【００５５】
そして、図８（ａ）〜（ｃ）においては、ワーク10は第１の凹部３ａの底面３ｃで支持されており、板状体２の外部と繋がる貫通孔５を、凹部３ｂと連通するように設けていることから、ワーク10の下面側のワークを熱処理した時に発生する時のガスの質量が大きい場合に、ガスをより効率よく外部へ排出することができ、凹部３ｂの底面３ｄ側に滞留することを抑制できる。それにより熱処理の降温の段階で冷却されたガスが不純物となってワーク10に付着することをさらに抑制できる。
【００５６】
特に、ワーク10から発生するガスのうち、ワーク10に付着するようなガスは質量が大きい場合が多く、質量の大きいガスは凹部３の底面３ｄ側に溜まりやすいため、貫通孔５は凹部３ｂのうち、ワーク10の支持位置より底面３ｄ側に連通していることがより好ましい。
【００５７】
一方、ワーク10から発生するガスの質量が小さい場合には、図１に示したように貫通孔５を第１の凹部３ａに連通するように設けることが好ましく、特にはワーク10の支持位置よりも開口部側に設けることが好ましい。
【００５８】
なお、図５に示す、本実施形態のワーク収納用容器12のように、複数の凹部３に対して、格子状の貫通孔５があるときには、縦方向、横方向の貫通孔５の位置は同一でもよいが、図１（ｃ）に示すワーク10より開口部側となる第１の凹部３ａに一方向の貫通孔５が形成され、他方の貫通孔５は図７（ａ）〜（ｃ）に示すワーク10より底面３ｄ側となる第２
の凹部３ｂに形成することがより好ましい。それにより、熱処理時にワーク10から発生するガスの排出もスムーズにでき、ワーク10の上面、下面の熱処理がより均一にできる。
【００５９】
本実施形態のワーク収納用容器は、板状体がセラミックからなるとともに、第１の凹部および第２の凹部の少なくとも一方の底面が焼き肌面とされていることが好ましい。
【００６０】
図９（ａ）は本実施形態のワーク収納用容器の図８（ｂ）に示す波線で囲んだＤ部または図８（ｄ）に示す波線で囲んだＥ部を拡大した断面図であり、（ｂ）は第１の凹部３ａの底面または第２の凹部３ｂの底面を平面視した粒子レベルでみたときの模試図である。
【００６１】
本実施形態のワーク収納用容器１，11，12は、板状体２がセラミックからなるとともに、第１の凹部３ａおよび第２の凹部３ｂのそれぞれの底面３ｃ，３ｄの少なくとも一方が焼き肌面であるときには、図９（ｂ）に示すように、ワーク10を支持する底面３ｃ，３ｄの表面を粒子レベルでみたとき、セラミック粒子８がランダムに突出し、ワーク10は点接触で支持されることとなる。
【００６２】
それにより、ワーク10が第１の凹部３ａの底面３ｃで支持されているときは、底面３ｃの表面の突出したセラミック粒子８間の谷間がマイクロ流路９ａとなって機能し、ワーク10を熱処理した時に発生するガスが、凹部３に収納されたワーク10の上面側の空間と下面側の空間とに流通し、貫通孔５を介してより効率よく外部に排出することができる。
【００６３】
また、図８（ｄ）に示すように、ワーク10が第２の凹部３ｂの底面３ｄで支持されているときには、ワーク10を支持する底面３ｄとの間にもマイクロ流路９ａが存在するから、ワーク10を熱処理した場合に、ワーク10の第２の凹部３ｂ側に発生するガスをこのマイクロ流路９ａを利用して逃がすことができ、貫通孔５を介してより効率よく外部に排出することができる。
【００６４】
図10は、本実施形態のワーク収納用容器の他の一例を示す斜視図であり、ワーク10を収納するための凹部３を備えた板状体２の一方の主面２ａ側に凹部３を塞ぐための蓋体22を備えていることから、本実施形態のワーク収納用容器13を、例えば、ワーク10の熱処理用の容器として用いれば、ワーク10に熱処理雰囲気中に存在する粉塵などが直接ワーク10に付着することを抑制できるとともに、熱処理時に発生したガスは貫通孔５によって外部に排出することがきるので、熱処理の降温の段階で冷却されたガスが不純物となってワーク10に付着することをさら抑制することができる。
【００６５】
なお、ここまでは、貫通孔５については、本実施形態のワーク収納用容器１，11,12に
おいては、板状体２の最も外周側に位置する凹部３と板状体２の外部とが貫通するものについて説明してきたが、板状体２の一方の主面２ａに、凹部３と板状体２の外部とが繋がる溝を設けて、板状体２の一方の主面２ａ側に凹部３を塞ぐための蓋体22を備えることによって溝が貫通孔５の役目となるように構成されてもよい。
【００６６】
図11は、本実施形態の光学素子収納用容器の一例を示す断面図である。
【００６７】
図11に示すように、本実施形態の光学素子収納用容器21は、本実施形態のワーク収納用容器13を用いてなるもので、凹部３に光学素子23が収納されることから、たとえば、本実施形態の光学素子収納用容器21を光学素子23の熱処理用の容器として用いたときには、光学素子22に熱処理雰囲気中の塵芥が直接付着することも抑制でき、光学素子23から発生するガスが光学素子22の表面に付着することも抑制できるとともに、光学素子23の均一な熱処理をおこなうことができる。
【００６８】
この光学素子23が、ガラスレンズであるときには、屈折率調整を目的とする熱処理や、樹脂コーティング後の熱処理などの容器としても有用である。
【符号の説明】
【００６９】
１、11、12、13：ワーク収納用容器
２：板状体
２ａ：一方の主面、２ｂ：反対側の主面、２ｃ：側端面、２ｄ：シート
３：凹部
３ａ：第１の凹部、３ｂ：第２の凹部、３ｃ：第１の凹部の底面、３ｄ：第２の凹部の底面、３ｆ：外周側に位置する凹部、３ｇ：外周側に位置する凹部以外の凹部、３ｈ：内側面
４：凸部
５：貫通孔
８：セラミック粒子
９ａ：マイクロ流路
10：ワーク
21：光学素子収納用容器
22：蓋体
23：光学素子
【図５】
2014080240.tif 000003
【図６】
2014080240.tif 000004
【図７】
2014080240.tif 000005
【図９】
2014080240.tif 000006
【図１０】
2014080240.tif 000007
【図１１】
2014080240.tif 000008
【図１】
2014080240.tif 000009
【図２】
2014080240.tif 000010
【図３】
2014080240.tif 000011
【図４】
2014080240.tif 000012
【図８】
2014080240.tif 000013